(57)【要約】【課題】心を和ませ、元気を奮い立たせるイラスト付きカレンダーを提供する。【解決手段】  日付、曜日、祭日、暦等を表示する日付表示部１と、イラストを表示するイラスト表示部２から構成されている。このイラスト表示部２に表示するイラストは、主として、花、葉、作物、果実等の植物を題材として風景のイラストを用いている。また、イラストとして表現する花等の植物を笑顔となるように擬人化して、擬人化図案３とすることにより、優しい印象を与える。イラスト表示部２において、この擬人化図案３を手前に配置し、後方に山、川等の風景を配置することにより、遠近感により、擬人化図案３がより顕在化される。このように、花、葉、作物、果実の植物が笑うように擬人化して表現することにより、見る人の心を和ませ、元気を与えることができる。【選択図】図１
0003206525.tif 000002
【実用新案登録請求の範囲】
【請求項１】
日付、曜日を表示する日付表示部と、イラストを描いたイラスト表示部とから成るイラスト付きカレンダーにおいて、前記イラスト表示部には、植物の図柄を笑顔に擬人化した擬人化図案が配置されていることを特徴とするイラスト付きカレンダー。
【請求項２】
前記イラスト表示部では、前記擬人化図案が手前側に配置されていることを特徴とする請求項１に記載のイラスト付きカレンダー。
【請求項３】
前記イラスト表示部では、後方に風景が配置されていることを特徴とする請求項３に記載のイラスト付きカレンダー。
【請求項４】
前記イラスト表示部は、中央に前記風景が配置され、前記風景の周辺に前記擬人化図案を配置されていることを特徴とする請求項３に記載のイラスト付きカレンダー。
【請求項５】
前記擬人化図案は花を擬人化したことを特徴とする請求項１〜４の何れか１項に記載のイラスト付きカレンダー。
【考案の詳細な説明】
【技術分野】
【０００１】
本考案は、イラストが描かれたイラスト付きカレンダーに関するものである。
【背景技術】
【０００２】
多くの一人暮らしの高齢者や単身赴任のサラリーマンは、孤独を感じ、無気力になる場合がある。しかし、このような孤独な高齢者等にとっても、カレンダーは必需品である。
【０００３】
一般に使用されているカレンダーは、日付・曜日・祭日等の暦を表示する日付表示部と、イラストや写真等を表示する画像表示部とから構成されている。
【考案の概要】
【考案が解決しようとする課題】
【０００４】
カレンダーは日付や曜日を確認するものであり、毎日見るものである。予定等を書き込むためには、単に暦のみを表示し、イラストを省いた所謂玉カレンダーが書き込みスペースも大きく便利であるが、壁等に掛けた際に殺風景な味気ないものとなる。
【０００５】
そこで、日付・曜日・祭日等の暦を表示する日付表示部と、イラストや写真等を表示する画像表示部から成るイラスト付きカレンダーが多く存在する。
【０００６】
また、一人暮らしにより孤独を感じる人も、上述のイラストや写真付きのカレンダーを室内に飾ることも多い。しかし、イラストに柔らかいタッチのイラストを用いたとしても、見る人の心を和ませ、元気を奮い立てることはなかなか困難である。
【０００７】
本考案の目的は、上述の課題を解決し、見る度に、見る人の心を和ませ、活力を与えることのできるイラスト付きカレンダーを提供することにある。
【課題を解決するための手段】
【０００８】
上記目的を達成するための本考案に係るイラスト付きカレンダーは、日付、曜日を表示する日付表示部と、イラストを描いたイラスト表示部とから成るイラスト付きカレンダーにおいて、前記イラスト表示部には、植物の図柄を笑顔に擬人化した擬人化図案が配置されていることを特徴とする。
【考案の効果】
【０００９】
本考案に係るイラスト付きカレンダーによれば、心が安らぎ、癒やされ、活力が湧き、元気を奮い立たせることができる。また、一人暮らしの人にとっても、孤独感が薄れ、より明るく生活することができるようになる。
【図面の簡単な説明】
【００１０】
【図１】実施例１のイラスト付きカレンダーの正面図である。
【考案を実施するための形態】
【００１１】
本考案を図示の実施例に基づいて詳細に説明する。
図１は本実施例のイラスト付きカレンダーの正面図を示しており、日付、曜日、祭日、暦等を表示する日付表示部１と、イラストを表示するイラスト表示部２から構成されている。
【００１２】
このイラスト表示部２に表示するイラストは、例えば花、葉、作物、果実等の植物を題材として、風景のイラストがカラーで描かれている。
【００１３】
また、図１に示すようにイラストとして表現する花、葉、作物、果実等を画面上、手前側に植物の笑顔を含むように擬人化し、擬人化図案３とされている。
【００１４】
また、必要に応じて、見る人を元気づけるキャッチフレーズ、実施例では「たくさんの小さな出会いが大きな笑顔となる」のキャッチフレーズ４をイラスト表示部２に記載することもできる。
【００１５】
なお、イラスト表示部２においては、この擬人化図案３を手前側に配置し、後方には山、川等を含む風景を配置する構図となっており、遠近感により擬人化図案３をより顕在化することができる。つまり、図１に示すようにイラスト表示部２の中央に風景が配置され、この風景の周辺に擬人化図案３が配置されている。
【００１６】
雄大な山、川等の風景は、過去の記憶を呼び起こしたり、風景の前に立っているような錯覚を覚えたりして、リラックスする心理的効果を有することが知られている。本実施例では、風景の手前側に、花、葉、作物、果実等の植物を笑顔の状態で擬人化した擬人化図案３を加えることで、相乗効果を発揮して、カレンダーを見る人の心を和ませ、元気を奮い立たせることができる。
【００１７】
なお、擬人化図案３と共に配置するのは、山や川等の風景とは限らず、例えば全てを植物としてもよい。
【００１８】
動物を題材としたイラスト付きカレンダーの場合には、動物に対する好き嫌いもあり、例えば犬好きの人にとっては、猫のカレンダーにはさほど興味がなく、むしろ猫のカレンダーに対しては嫌悪感すら抱く場合もある。
【００１９】
特に、人間を含め動物に対しては、過去の体験に基づく好印象、悪印象、嫌悪感等の感情を深層心理として持っていることもある。そのため、人間や動物を題材としたイラスト等では、室内に飾った場合にこのイラストが視界に入ると、様々な感情が蘇えり、十分にリラックスできないこともあり。場合によってストレスを感ずることもある。
【００２０】
人間や動物は感情を持って行動するため、人間や動物に接することで好印象、悪印象、嫌悪感等の感情を抱くのに対して、花、葉、作物、果実等の植物の場合には感情がなく動かないために、悪印象、嫌悪感を抱くことは非常に少ない。
【００２１】
特に、花に対しては多くの人は好感を持っており、更に微笑みかけている笑顔のイラストには好印象を持つ。本実施例のように、花、葉、作物、果実等の植物が笑顔で微笑みかけている心が和む優しいイラストは、多くの人の心を自然に癒やし、活力を与える心理的効果がある。
【００２２】
特に、本実施例のイラスト付きカレンダーは、比較的、中高年、高齢者向けに適しており、日々の生活において、このイラスト付きカレンダーを見る度に、心が安らぎ、癒やされ、活力が湧き、元気を奮い立てる効果がある。また、一人暮らしの人にとっても、孤独感が薄れ、より明るく生活することができるようになる。
【００２３】
なお、日付表示部１、イラスト表示部２の配置等は、実施例に拘束されることはない。例えば、日付表示部１とイラスト表示部２とが、区画化されずに、一体化されている場合もある。
【００２４】
また実施例では、月ごとにイラスト表示部２が変わるようにしたが、１枚のカレンダーに、イラスト表示部２は１個とし、日付表示部１を複数月分、表示するようにしてもよい。
【符号の説明】
【００２５】
１  日付表示部
２  イラスト表示部
３  擬人化図案
４  キャッチフレーズ
【図１】
0003206525.tif 000003
【手続補正書】
【提出日】平成28年7月27日(2016.7.27)
【手続補正１】
【補正対象書類名】実用新案登録請求の範囲
【補正対象項目名】全文
【補正方法】変更
【補正の内容】
【実用新案登録請求の範囲】
【請求項１】
日付、曜日を表示する日付表示部と、イラストを描いたイラスト表示部とから成るイラスト付きカレンダーにおいて、前記イラスト表示部には、植物の図柄を笑顔に擬人化した擬人化図案が配置されていることを特徴とするイラスト付きカレンダー。
【請求項２】
前記イラスト表示部では、前記擬人化図案が手前側に配置されていることを特徴とする請求項１に記載のイラスト付きカレンダー。
【請求項３】
前記イラスト表示部では、後方に風景が配置されていることを特徴とする請求項１に記載のイラスト付きカレンダー。
【請求項４】
前記イラスト表示部は、中央に前記風景が配置され、前記風景の周辺に前記擬人化図案を配置されていることを特徴とする請求項３に記載のイラスト付きカレンダー。
【請求項５】
前記擬人化図案は花を擬人化したことを特徴とする請求項１〜４の何れか１項に記載のイラスト付きカレンダー。